(57)【要約】【課題】表示端末の仕様に応じて、最適な視認性を確保した表示画像を、表示画面に表示させることが可能なプラント監視技術を提供する。【解決手段】実施形態によれば、表示用サーバ４０の処理装置４１が、表示端末１０，２０の種類を示す情報である端末タイプと、当該表示端末１０，２０の表示画面１１，２１に表示することが求められている表示画像の種類を示す情報である画像インデックスとを取得する。そして、端末タイプと画像インデックスに対応して画像構成部分の種類と配置座標と表示サイズが対応付けられた画像レイアウトデータが、予め記憶されている記憶装置４６を、処理装置４１が検索して端末タイプ及び画像インデックスに対応する画像レイアウトデータを特定し、表示端末１０，２０に送信する。表示端末１０，２０は、当該画像レイアウトデータの配置座標と表示サイズに従って画像構成部分を表示窓内に配置して表示画像を構成する。【選択図】図１
2016076070.tif 000002
【特許請求の範囲】
【請求項１】
操作入力を受け付ける入力装置と、表示画像を表示可能な表示画面とを有し、当該操作入力に応じて表示画面の表示窓に表示することが求められている表示画像を構成する表示端末と、
当該表示端末の種類を示す端末タイプと、当該表示端末の表示画面に表示することが求められている表示画像の種類を示す画像インデックスに対応して当該表示画面の表示窓内に配置されて表示画像を構成する画像構成部分の種類と、当該画像構成部分が当該表示窓内に配置される配置座標と、当該画像構成部分が当該表示窓内に表示される表示サイズとが対応付けられた画像レイアウトデータが、予め記憶されている記憶装置と、
当該記憶装置を検索して前記表示端末の端末タイプと画像インデックスに対応する画像レイアウトデータを特定し、当該画像レイアウトデータを前記表示端末に送信する処理装置と、
を備え、
前記表示端末は、当該処理装置から受けた画像レイアウトデータに含まれる配置座標と表示サイズに従って、画像構成部分を前記表示窓内に配置して表示画像を構成する
ことを特徴とするプラント監視システム。
【請求項２】
前記記憶装置は、表示画面の表示窓において所望の表示サイズで画像構成部分を表示させることが可能なソフトウェアである部分表示ソフトウェアが、当該画像構成部分の種類に対応付けられて、予め記憶されており、
前記処理装置は、当該記憶装置を検索して画像レイアウトデータを構成する画像構成部分の種類に対応する部分表示ソフトウェアを特定し、当該画像レイアウトデータと共に表示用データとして表示端末に送信し、
前記表示端末は、当該部分表示ソフトウェアにより当該画像レイアウトデータの表示サイズとなるよう画像構成部分を拡大又は縮小し、当該画像レイアウトデータの配置座標に従って表示画面の表示窓内に当該画像構成部分を配置する
ことを特徴とする請求項１に記載のプラント監視システム。
【請求項３】
プラント内に設けられたプラント機器からプロセスデータを取得するデータサーバを、さらに備え、
前記画像レイアウトデータは、端末タイプ及び画像インデックスに対応して、画像構成部分において表示される情報である部分別情報が対応付けられており、
前記表示端末は、当該部分別情報に対応するプロセスデータを、前記データサーバから取得して、当該画像構成部分に表示する
ことを特徴とする請求項１又は請求項２に記載のプラント監視システム。
【請求項４】
前記表示端末は、表示画面の所定の表示窓に表示することが求められている表示画像に関する情報である表示要求として、端末タイプと画像インデックスとを、前記処理装置に送信し、
前記処理装置は、当該表示端末から受けた端末タイプ及び画像インデックスに対応する画像レイアウトデータを特定する
ことを特徴とする請求項１ないし請求項３のいずれか一項に記載のプラント監視システム。
【請求項５】
前記表示端末は、表示画面の所定の表示窓に表示することが求められている表示画像に関する情報である表示要求として、画像インデックスを、前記処理装置に送信し、
当該処理装置は、表示要求を受けたときに、当該表示端末に関する情報を取得して端末タイプを特定し、特定された端末タイプと表示端末から受けた画像インデックスに対応する画像レイアウトデータを特定する
ことを特徴とする請求項１ないし請求項３のいずれか一項に記載のプラント監視システム。
【請求項６】
前記処理装置は、
前記特定された端末タイプに含まれている画面解像度の所定の基準解像度に対する比率である解像度比率を算出し、
当該算出された解像度比率に基づいて、当該画面解像度に対応する画像レイアウトデータの配置座標及び表示サイズを算出する
ことを特徴とする請求項５に記載のプラント監視システム。
【請求項７】
前記処理装置は、前記算出された配置座標及び表示サイズを、前記画面解像度と共に、画像レイアウトデータとして前記記憶装置に記録する
ことを特徴とする請求項６に記載のプラント監視システム。
【請求項８】
前記処理装置は、前記記憶装置に記憶されている画像レイアウトデータを編集可能な画像レイアウトデータ編集部を有しており、
当該画像レイアウト編集部は、保守端末の表示画面に、画像レイアウトデータを編集するための表示画像である編集画像を表示させ、当該保守端末から受けた当該画像レイアウトデータを当該記憶装置に記録する
ことを特徴とする請求項１ないし請求項７のいずれか一項に記載のプラント監視システム。
【請求項９】
表示端末の種類を示す情報である端末タイプと、当該表示端末の表示画面に表示することが求められている表示画像の種類を示す画像インデックスとを処理装置が特定し、
端末タイプと画像インデックスに対応して、当該表示画面の表示窓内に配置されて表示画像を構成する画像構成部分の種類と、当該画像構成部分が当該表示窓内に配置される配置座標と、当該画像構成部分が当該表示窓内に表示される表示サイズとが対応付けられた画像レイアウトデータが、予め記憶されている記憶装置を、前記処理装置が検索して、前記特定された端末タイプ及び画像インデックスに対応する画像レイアウトデータを、当該処理装置が特定して前記表示端末に送信し、
当該画像レイアウトデータに含まれる配置座標と表示サイズに従って、当該表示端末が、画像構成部分を前記表示窓内に配置して表示画像を構成する
ことを特徴とするプラント監視方法。
【発明の詳細な説明】
【技術分野】
【０００１】
本発明の実施形態は、表示端末の画面に表示される表示画像を構成する技術に関し、特に、プラント内を監視するための技術に関する。
【背景技術】
【０００２】
発電所等のプラントには、様々な表示端末（ＶＤＴ：visual display terminal）が設置されている。例えば、発電所の中央制御室には、一般的に十数台の表示端末が設置されている。プラントを監視するためのシステム（以下、プラント監視システムと記す）は、従来、プラントに関する各種の情報を、それぞれ表示端末が有する画面（以下、表示画面と記す）に表示させている。
【０００３】
このようなプラント監視システムは、例えば、ＳＸＧＡ等の所定の画面解像度の表示端末を用いることを前提として、各種の情報を表示端末に表示させるためのソフトウェアが設計されている場合が多い。また、プラント監視システムは、一般的に、プラントの運転中において、表示端末の画面解像度を変更しないことを前提としており、当該画面解像度に合わせてソフトウェアが設計されている。
【先行技術文献】
【特許文献】
【０００４】
【特許文献１】特開２０１２−６９０２６号公報
【発明の概要】
【発明が解決しようとする課題】
【０００５】
近年、中央制御室の人員削減や、現場における作業効率の向上のために、中央制御室等、複数の表示端末が設置された特定の場所以外においても、プラント監視システムからプラントに関する情報を受けたいという要望がある。場所を選ばない情報提供を実現するためには、例えば、ノートＰＣ、タブレット型コンピュータ、スマートフォン、プロジェクタ等、様々な種類の表示端末の画面解像度に対応する必要がある。また、表示端末によっては、その操作方法が異なるため、各種の表示画面に一律に同じ画像を表示したのでは、操作性に問題が生じる場合がある。
【０００６】
例えば、従来のプラント監視システムにおいて、表示画面に表示される表示画像は、例えば、ＳＸＧＡ等の所定の画面解像度を用いること、及びキーボードとマウスによる操作を前提としている。このため、例えば、中央制御室にある表示端末の表示画面に表示している表示画像を、画面解像度が異なる表示画面に表示させると、表示することはできても視認性が低下する場合がある。また、中央制御室にある表示端末の表示画面に表示している表示画像は、キーボード及びマウスによる操作を前提としたものである。このため、中央制御室の表示端末に表示したものと同じ表示画像を、例えば、タブレット型コンピュータ等に表示すると、当該表示画像は、タッチパネルの操作に対応して設計されたものではないため、操作が困難なものとなる場合がある。
【０００７】
このように、従来のプラント監視システムにおいては、特定の表示端末の仕様に合わせて、表示画面に表示画像を表示する機能が構成されている。特定の表示端末以外の表示端末、例えば、新たに追加された表示端末（以下、追加端末と記す）の画面解像度に適した表示画像を表示画面に表示するためには、その追加端末の仕様に合った表示画像を生成する必要がある。なお、新たに追加端末が追加される度に、当該追加端末の仕様に合った表示機能を設計して、当該表示機能をプラント監視システムに追加することは、極めて非効率的であり、現実的ではない。
【０００８】
本発明の実施形態は、上記事情に鑑みてなされたものであって、表示端末の仕様に応じて、最適な視認性を確保した表示画像を、表示画面に表示させることが可能なプラント監視システム及びプラント監視方法を提供することを目的とする。
【課題を解決するための手段】
【０００９】
上述の目的を達成するため、本発明の実施形態のプラント監視システムは、操作入力を受け付ける入力装置と、表示画像を表示可能な表示画面とを有し、当該操作入力に応じて表示画面の表示窓に表示することが求められている表示画像を構成する表示端末と、当該表示端末の種類を示す端末タイプと、当該表示端末の表示画面に表示することが求められている表示画像の種類を示す画像インデックスに対応して当該表示画面の表示窓内に配置されて表示画像を構成する画像構成部分の種類と、当該画像構成部分が当該表示窓内に配置される配置座標と、当該画像構成部分が当該表示窓内に表示される表示サイズとが対応付けられた画像レイアウトデータが、予め記憶されている記憶装置と、当該記憶装置を検索して前記表示端末の端末タイプと画像インデックスに対応する画像レイアウトデータを特定し、当該画像レイアウトデータを前記表示端末に送信する処理装置と、を備え、前記表示端末は、当該処理装置から受けた画像レイアウトデータに含まれる配置座標と表示サイズに従って、画像構成部分を前記表示窓内に配置して表示画像を構成することを特徴とする。
【００１０】
また、本発明の実施形態のプラント監視方法は、表示端末の種類を示す情報である端末タイプと、当該表示端末の表示画面に表示することが求められている表示画像の種類を示す画像インデックスとを処理装置が特定し、端末タイプと画像インデックスに対応して、当該表示画面の表示窓内に配置されて表示画像を構成する画像構成部分の種類と、当該画像構成部分が当該表示窓内に配置される配置座標と、当該画像構成部分が当該表示窓内に表示される表示サイズとが対応付けられた画像レイアウトデータが、予め記憶されている記憶装置を、前記処理装置が検索して、前記特定された端末タイプ及び画像インデックスに対応する画像レイアウトデータを、当該処理装置が特定して前記表示端末に送信し、当該画像レイアウトデータに含まれる配置座標と表示サイズに従って、当該表示端末が、画像構成部分を前記表示窓内に配置して表示画像を構成することを特徴とする。
【発明の効果】
【００１１】
本発明の実施形態によれば、表示端末は、その画面解像度や操作性等の端末タイプに応じて最適な視認性を確保した表示画像を構成して表示画面に表示させることができる。
【図面の簡単な説明】
【００１２】
【図１】第１の実施形態のプラント監視システムの構成を示すブロック図。
【図２】表示画像を構成する画像構成部分を説明する図であり、画像構成部分としてヘッダ表示部分とメニュー表示部分が、ＰＣの表示画面の表示窓内に配置された例を示す図。
【図３】表示画像を構成する画像構成部分を説明する図であり、画像構成部分としてヘッダ表示部分とデータ一覧表示部分が、ＰＣの表示画面の表示窓内に配置された例を示す図。
【図４】表示画像を構成する画像構成部分を説明する図であり、画像構成部分としてヘッダ表示部分と系統図表示部分が、ＰＣの表示画面の表示窓内に配置された例を示す図。
【図５】表示画像を構成する画像構成部分を説明する図であり、画像構成部分としてヘッダ表示部分とトレンドグラフ表示部分が、ＰＣの表示画面の表示窓内に配置された例を示す図である。
【図６】表示画像を構成する画像構成部分を説明する図であり、画像構成部分としてヘッダ表示部分とメニュー表示部分が、タブレットの表示画面の表示窓内に配置された例を示す図。
【図７】表示画像を構成する画像構成部分を説明する図であり、画像構成部分としてヘッダ表示部分とメニュー表示部分と系統図表示部分とトレンドグラフ表示部分が、タブレットの表示画面の表示窓内に配置された例を示す図。
【図８】第１の実施形態において記憶装置に予め記憶されている画像レイアウトデータを説明する図であり、端末タイプ及び画像インデックスに対応する画像レイアウトデータを示している。
【図９】本実施形態のプラント監視システムを構成する表示用サーバの処理装置が実行する情報処理を説明するフローチャート。
【図１０】第２の実施形態のプラント監視システムの構成を示すブロック図。
【図１１】第２の実施形態において記憶装置に予め記憶されている画像レイアウトデータを説明する図であり、端末タイプ及び画像インデックスに対応する画像レイアウトデータを示している。
【図１２】第２の実施形態のプラント監視システムを構成する表示用サーバの処理装置が実行する情報処理を説明するフローチャート。
【図１３】第３の実施形態のプラント監視システムの構成を説明するブロック図。
【図１４】第３の実施形態において記憶装置に予め記憶されている、画像構成部分ごとに設定可能な部分別情報を説明する図。
【図１５】第３の実施形態の保守端末の編集画面に表示される編集画像の一例を示す図。
【図１６】第３の実施形態のプラント監視システムにおいて、編集画像が表示画面に表示された保守端末の操作手順を説明するフローチャート。
【発明を実施するための形態】
【００１３】
以下に、本発明の実施形態について図面を参照して説明する。なお、以下に説明する実施形態により、本発明が限定されるものではなく、その要旨を逸脱しない範囲において種々の変更が可能である。
【００１４】
〔第１の実施形態〕
（プラント監視システムの概略構成）
第１の実施形態のプラント監視システムの概略構成について、図１を用いて説明する。
図１は、本実施形態のプラント監視システムの構成を説明するブロック図である。
【００１５】
図１に示すように、プラント監視システム１は、表示端末１０，２０と、表示用サーバ４０と、データサーバ６０と、複数のプラント機器８とを有している。プラント機器８は、プラント内に設けられた機器であり、例えば、計測機器として構成されている。プラント機器８は、プラント内の各種の情報を示すデータ（以下、プロセスデータと記す）を取得する。プラント機器８は、プロセスデータ用通信線７を介してデータサーバ６０と接続されている。
【００１６】
データサーバ６０は、当該プロセスデータ用通信線７を介してプラント機器８からのプロセスデータを取得する。データサーバ６０は、各種の情報処理を実行する処理装置６１と、各種のデータを記憶可能な記憶装置６６とを有している。処理装置６１は、プラント機器８から取得したプロセスデータを記憶装置６６に格納する。
【００１７】
表示端末１０，２０は、様々な種類のものが設けられている。例えば、表示端末１０は、パーソナル・コンピュータ（以下、単に「ＰＣ」と記す）として構成されており、各種の情報を示す表示画像を表示する画面（以下、表示画面と記す）１１を有している。また、表示端末１０は、操作者の操作入力を受け付ける入力装置として、キーボード１３とマウス１５とを有している。表示端末１０は、入力装置１３，１５が受け付けた操作入力に対応する表示画像を構成するためのデータを、表示用サーバ４０から取得する。表示端末１０は、当該データに基づいて表示画像を構成して表示画面１１に表示する。
【００１８】
なお、本実施形態において、表示端末１０は、表示画面１１内に複数の表示窓（ウィンドウ）を表示可能に構成されており、いわゆるマルチウィンドウに対応している。なお、表示画面１１には、一例として、ＳＸＧＡ（幅：１２８０画素、高さ：１０２４画素）の画面解像度のものが用いられている。
【００１９】
また、表示端末２０は、タブレット型のコンピュータ、いわゆるタブレット端末（以下、単に「タブレット」と記す）として構成されており、表示画像を表示する表示画面２１を有している。表示端末２０は、操作者の操作入力を受け付ける入力装置としてタッチパネル２３を有している。表示端末２０は、入力装置としてのタッチパネル２３が受け付けた操作入力に対応する表示画像を構成するためのデータを表示用サーバ４０から取得する。表示端末２０は、当該データに基づいて表示画像を構成して表示画面２１に表示する。
【００２０】
なお、表示端末２０は、本実施形態において、表示画面２１内に単数の表示窓が表示されるよう構成されており、マルチウィンドウには対応していない。なお、マルチウィンドウに対応していない表示端末２０において、表示窓は、表示画面２１全体であるものとしても良い。なお、表示画面２１には、一例として、ＸＧＡ（幅：１０２４画素、高さ：７６８画素）のものが用いられている。
【００２１】
表示用サーバ４０は、各種の情報処理を実行する処理装置４１と、各種のデータを記憶可能な記憶装置４６とを有している。表示用サーバ４０は、表示用通信線３を介して表示端末１０，２０と接続されている。また、表示用サーバ４０は、データサーバ６０と通信線５を介して接続されている。処理装置４１が実行する情報処理と、記憶装置４６に予め記憶されているデータ等については、後述する。
【００２２】
次に、本実施形態のプラント監視システムにおいて、表示端末の表示画面に表示される表示画像を生成する方法について、図２〜図９を用いて説明する。
【００２３】
図２は、表示画像を構成する画像構成部分を説明する図であり、画像構成部分としてヘッダ表示部分とメニュー表示部分が、ＰＣの表示画面の表示窓内に配置された例を示す図である。図３は、表示画像を構成する画像構成部分を説明する図であり、画像構成部分としてヘッダ表示部分とデータ一覧表示部分が、ＰＣの表示画面の表示窓内に配置された例を示す図である。図４は、表示画像を構成する画像構成部分を説明する図であり、画像構成部分としてヘッダ表示部分と系統図表示部分が、ＰＣの表示画面の表示窓内に配置された例を示す図である。図５は、表示画像を構成する画像構成部分を説明する図であり、画像構成部分としてヘッダ表示部分とトレンドグラフ表示部分が、ＰＣの表示画面の表示窓内に配置された例を示す図である。図６は、表示画像を構成する画像構成部分を説明する図であり、画像構成部分としてヘッダ表示部分とメニュー表示部分が、タブレットの表示画面の表示窓内に配置された例を示す図である。
【００２４】
図７は、表示画像を構成する画像構成部分を説明する図であり、画像構成部分としてヘッダ表示部分とメニュー表示部分と系統図表示部分とトレンドグラフ表示部分が、タブレットの表示画面の表示窓内に配置された例を示す図である。図８は、本実施形態において記憶装置に予め記憶されている画像レイアウトデータを説明する図であり、端末タイプ及び画像インデックスに対応する画像レイアウトデータを示している。図９は、本実施形態のプラント監視システムを構成する表示用サーバの処理装置が実行する情報処理を説明するフローチャートである。
【００２５】
表示端末１０，２０は、入力装置が受け付けた操作入力に応じて、表示画面１１，２１の所定の表示窓に表示することが求められている表示画像に関する情報（以下、単に「表示要求」と記す）を、表示用サーバ４０に送信する。
【００２６】
本実施形態において、表示要求には、入力装置が受け付けた操作入力により表示端末１０，２０の表示画面１１，２１に表示することが求められている表示画像の種類を示す情報（以下、画像インデックスと記す）に加えて、画面解像度や入力装置の種類等の表示端末１０，２０の種類を示す情報（以下、端末タイプと記す）が含まれている。
【００２７】
なお、表示端末１０，２０から表示用サーバ４０に表示要求を送信する手法には、表示端末１０，２０にインストールされたブラウザにおいて、画像インデックスと、端末タイプとの２つの情報を含むＵＲＬ（Uniform Resource Locator）を指定する手法を用いることができる。
【００２８】
表示用サーバ４０の処理装置４１は、表示端末１０，２０からの表示要求を受信する機能（以下、表示要求受信部と記す）４２を有している。本実施形態において表示要求には、画像インデックスに加えて、端末タイプが含まれている。
【００２９】
端末タイプには、ＰＣであるかタブレットであるか、マルチウィンドウに対応しているか否か、入力装置としてタッチパネルを備えているか否か等の表示端末１０，２０の操作性に関する情報が含まれている。加えて、端末タイプには、表示画面１１，２１の画面解像度に関する情報、例えば、ＳＸＧＡやＸＧＡ等の表示画面１１，２１の幅方向の画素数および高さ方向の画素数に関する情報が含まれている。なお、端末タイプには、表示画面１１，２１の画素密度（ｐｐｉ：pixels per inch）やアスペクト比に関する情報が含まれているものとしても良い。
【００３０】
一方、本実施形態において、画像インデックスには、操作者が選択可能な項目の一覧である「メニュー」（図２、図６及び図７参照）と、各種のデータの一覧である「データ一覧」（図３参照）と、プラントを構成する各種の系統を模式的に示す図である「系統図」（図４及び図７参照）と、プロセスデータの時間変化を示すグラフである「トレンドグラフ」（図５及び図７参照）が含まれている。
【００３１】
記憶装置４６には、図８に示すように、上述した端末タイプ及び画像インデックスに対応して、上述した表示窓内に配置されて表示画像を構成する部分（以下、画像構成部分と記す）の種類と、当該画像構成部分が表示窓内に配置される座標（以下、配置座標と記す）と、当該画像構成部分が表示窓内において表示される寸法（以下、表示サイズと記す）と、当該画像構成部分において表示される情報（以下、部分別情報と記す）が、対応付けられたデータ（以下、画像レイアウトデータと記す）が、予め記憶されている。なお、本実施形態において、画像レイアウトデータには、部分別属性が含まれている。
【００３２】
画像レイアウトデータは、様々な端末タイプ及び画像インデックスに対応した最適なものが予め準備おり、記憶装置４６の画像レイアウトデータ記憶部４７に予め記憶されている。処理装置４１は、記憶装置４６の画像レイアウトデータ記憶部４７を検索して、端末タイプ及び画像インデックスに対応する画像レイアウトデータを特定する機能（以下、画像レイアウトデータ特定部と記す）４３を有している。
【００３３】
本実施形態において、画像構成部分の種類には、図２、図６及び図７に示すように「メニュー」を表示する部分（以下、メニュー表示部分と記す）５２と、図３に示すように「データ一覧」を表示する部分（以下、データ一覧表示部分と記す）５３と、図４及び図７に示すように「系統図」を表示する部分（以下、系統図表示部分と記す）５４と、図５及び図７に示すように「トレンドグラフ」を表示する部分（以下、トレンドグラフ表示部分と記す）５５がある。
【００３４】
さらに、画像構成部分の種類には、図２〜図７に示すように、上述したメニュー表示部分５２、データ一覧表示部分５３、系統図表示部分５４及びトレンドグラフ表示部分５５のそれぞれ上側に表示されて、各画像に対応する情報、例えば、文字情報を表示する部分（以下、ヘッダ表示部分と記す）５０が含まれている。
【００３５】
これら画像構成部分は、それぞれ、画像レイアウトデータにおいて対応付けられた配置座標に従って所定の表示窓内に配置され、対応付けられた表示サイズに従って当該表示窓内に表示される。これにより、画像構成部分は、それぞれ表示画面１１，２１に表示される表示画像の一部分を構成する。
【００３６】
配置座標は、図２〜図７に示す表示窓１２，２２内において画像構成部分が配置される座標であり、図８の座標Ｘの値は、図２に矢印Ｘで示すように、表示窓１２，２２の幅方向（いわゆる横方向）の位置を示し、座標Ｙの値は、図２に矢印Ｙで示すように、表示窓１２，２２の高さ方向（いわゆる縦方向）の位置を示している。画像構成部分は、それぞれ、表示窓１２，２２のうち、画像レイアウトデータの座標Ｘ及び座標Ｙが示す位置から、図に矢印Ｙで示す高さ方向下側であり図に矢印Ｘで示す幅方向右側に表示される。
【００３７】
なお、マルチウィンドウに対応していない表示端末（タブレット）２０においては、表示窓２２は、表示画面２１の全体であり、上述した配置座標は、当該表示画面２１における座標であるものとしても良い。
【００３８】
表示サイズは、表示窓１２，２２内において画像構成部分が表示される寸法であり、図８の「幅」が示す値は、図２に矢印Ｘで示す幅方向の画素数を示し、「高さ」が示す値は、矢印Ｙで示す高さ方向の画素数を示している。本実施形態において、画像構成部分５０〜５５は、それぞれ、上述した座標Ｘ及び座標Ｙが示す位置から、図に矢印Ｘで示す幅方向右側には、図８に「幅」で示す画素数で、矢印Ｙで示す高さ方向下側には、図８に「高さ」で示す画素数で表示される。
【００３９】
部分別情報は、図８に示すように、当該画像構成部分において表示される情報である。例えば、ヘッダ表示部分５０には、当該ヘッダ表示部分５０の下側に表示される画像構成部分のタイトルや、当該情報に関する時刻等が、部分別情報として対応付けられている。また、メニュー表示部分５２には、当該メニュー表示部分５２において表示される複数のボタン５２ａ，５２ｂ，５２ｃ（図２及び図６参照）が示すリンク先等の情報が、部分別情報として対応付けられている。また、トレンドグラフ表示部分５５には、当該トレンドグラフ表示部分５５において表示されるグラフが示す情報が、部分別情報として対応付けられている。
【００４０】
加えて、記憶装置４６には、画像構成部分を所望の表示サイズで表示窓に表示するためのソフトウェア（以下、部分表示ソフトウェアと記す）が、画像構成部分ごとに、予め記憶されている。具体的には、部分表示ソフトウェアには、ヘッダ表示部分５０を表示するためのソフトウェアと、メニュー表示部分５２を表示するためのソフトウェアと、データ一覧表示部分５３を表示するためのソフトウェアと、系統図表示部分５４を表示するためのソフトウェアと、トレンドグラフ表示部分５５を表示するためのソフトウェアがある。
【００４１】
これら部分表示ソフトウェアは、それぞれ、画像構成部分を構成する基本的な図形要素、いわゆる表示要素に関する情報を含んでいる。加えて、部分表示ソフトウェアは、表示画面１１，２１にある表示窓に上述した表示サイズで画像構成部分が表示されるよう、当該画像構成部分を拡大又は縮小する機能を有している。
【００４２】
これら部分表示ソフトウェアは、記憶装置４６の部分表示ソフトウェア記憶部４８に予め記憶されている。表示用サーバ４０の処理装置４１は、記憶装置４６の部分表示ソフトウェア記憶部４８を検索して、画像構成部品の種類に対応する部分表示ソフトウェアを特定する機能（以下、部分表示ソフトウェア特定部と記す）４４を有している。部分表示ソフトウェア特定部４４は、画像レイアウトデータ特定部４３により特定された画像レイアウトデータに含まれる画像構成部品の種類に対応する部分表示ソフトウェアを特定する。
【００４３】
加えて、処理装置４１は、画像レイアウトデータ特定部４３により特定された画像レイアウトデータと、部分表示ソフトウェア特定部４４により特定された部分表示ソフトウェアとを含む表示画像を構成するためのデータ（以下、単に「表示用データ」と記す）を、表示要求の送った表示端末１０，２０に返信する機能（以下、表示用データ返信部と記す）４５を有している。
【００４４】
以上のように構成されたプラント監視システム１においては、操作者が入力装置を操作して、例えば、図２に示す「トレンド」を示すボタン５２ａを選択すると、表示端末１０，２０は、当該ボタン５２ａに割り付けられた画像インデックスを特定する。表示端末１０，２０は、当該画像インデックスと端末タイプを含む表示要求を、表示用サーバ４０に送信する。表示用サーバ４０においては、図９にステップＳ０２で示すように、処理装置４１の表示要求受信部４２が当該表示要求を受信して、当該表示要求に含まれる画像インデックスと端末タイプを特定する。
【００４５】
ステップＳ０４で示すように、処理装置４１の画像レイアウトデータ特定部４３は、当該端末タイプ及び画像インデックスに対応する画像レイアウトデータを、記憶装置４６の画像レイアウトデータ記憶部４７を検索して特定する。画像レイアウトデータには、表示する画像構成部分の種類と、当該画像構成部分の表示窓内における表示サイズと配置座標に加えて、部分別情報が含まれている。
【００４６】
さらに、ステップＳ０６で示すように、処理装置４１の部分表示ソフトウェア特定部４４は、記憶装置４６の部分表示ソフトウェア記憶部４８を検索して画像レイアウトデータが示す画像構成部分の種類に対応する部分表示ソフトウェアを特定する。
【００４７】
そして、ステップＳ０８で示すように、処理装置４１の表示用データ返信部４５は、特定された部分表示ソフトウェアと共に、画像レイアウトデータを、表示用データとして、表示端末１０，２０に返信する。
【００４８】
これにより、表示端末１０，２０は、端末タイプ及び画像インデックスに対応した画像レイアウトデータと、部分表示ソフトウェアとを受け取ることができる。部分表示ソフトウェア（いわゆるソフトウェアパーツ）は、表示端末１０，２０において作動する。
【００４９】
表示端末１０、２０は、当該画像レイアウトデータに含まれる配置座標と表示サイズに従って、画面構成部分を、表示画面１１，２１の所定の表示窓に配置して表示画像を構成する。表示端末１０，２０において、部分表示ソフトウェアは、画像レイアウトデータが示す表示サイズとなるよう対応する画像構成部分を拡大又は縮小し、配置座標に従って表示画面１１，２１の表示窓内に当該画像構成部分を表示する。
【００５０】
表示窓内に表示される画像構成部分に、例えば、トレンドグラフ表示部分５５が含まれている場合、表示端末１０，２０は、画像レイアウトデータが示す部分別情報に対応するプロセスデータを、データサーバ６０から取得する。表示端末１０，２０は、取得したプロセスデータを、トレンドグラフとしてトレンドグラフ表示部分（画像構成部分）５５に表示する。
【００５１】
以上に説明したように本実施形態のプラント監視方法は、表示用サーバ４０の処理装置４１が、表示端末１０，２０の種類を示す情報である端末タイプと、当該表示端末１０，２０の表示画面１１，２１に表示することが求められている表示画像の種類を示す情報である画像インデックスとを取得して特定する（図９、Ｓ０２）。そして、端末タイプと画像インデックスに対応して画像構成部分の種類と配置座標と表示サイズが対応付けられた画像レイアウトデータが、予め記憶されている記憶装置４６を、処理装置４１が検索して端末タイプ及び画像インデックスに対応する画像レイアウトデータを特定し（図９、Ｓ０４）、表示端末１０，２０に送信する（図９、Ｓ０８）。表示端末１０，２０は、当該画像レイアウトデータの配置座標と表示サイズに従って、画像構成部分を表示窓内に配置して表示画像を構成する。
【００５２】
これにより、表示端末１０，２０は、その画面解像度や操作性等の端末タイプに応じて最適な視認性を確保した表示画像を構成して表示画面１１，２１に表示させることができる。本実施形態によれば、表示端末１０，２０は、端末タイプ及び画像インデックスを含む表示要求を表示用サーバ４０に送信するだけで、当該表示端末１０，２０の画面解像度や操作性に適した表示画像を表示画面１１，２１に表示させることができる。
【００５３】
なお、本実施形態において、各種の部分表示ソフトウェアは、表示用サーバ４０の記憶装置４６に予め記憶されているものとしたが、本発明は、この態様に限定されるものではない。例えば、各表示端末１０，２０に、部分表示ソフトウェアを予めインストールしておき、表示用サーバ４０は、表示用データとして画像レイアウトデータのみを表示端末１０，２０に送信するものとしても良い。この場合、表示端末１０，２０においては、受信した画像レイアウトデータが示す画像構成部分の種類に応じて、部分表示ソフトウェアを起動し、部分表示ソフトウェアは、画像レイアウトデータが示す表示サイズ及び配置座標に従って画像構成部分を表示窓内に配置することにより、表示画像が構成される。この態様によれば、表示用サーバ４０から表示端末１０，２０に送られる表示用データのデータ量を低減することができる。
【００５４】
また、本実施形態において、表示端末１０，２０は、画像インデックスと共に端末タイプを表示要求して表示用サーバ４０に送信するものとしたが、本発明は、この態様に限定されるものではない。
【００５５】
〔第２の実施形態〕
第２の実施形態のプラント監視システムの構成について、図１０〜図１２を用いて説明する。図１０は、本実施形態のプラント監視システムの構成を説明するブロック図である。図１１は、本実施形態において記憶装置に予め記憶されている画像レイアウトデータを説明する図であり、端末タイプ及び画像インデックスに対応する画像レイアウトデータを示している。図１２は、本実施形態のプラント監視システムを構成する表示用サーバの処理装置が実行する情報処理を説明するフローチャートである。
【００５６】
本実施形態のプラント監視システムにおいては、表示端末から表示用サーバに送信される表示要求には、端末タイプが含まれておらず、表示要求を受けた表示用サーバの処理装置が、当該表示端末の端末タイプを特定する機能を有している点で、第１の実施形態と異なっている。なお、第１の実施形態と略共通の構成については、同一の符号を付して説明を省略する。
【００５７】
図１０に示すように、本実施形態のプラント監視システム１Ｃにおいて、表示用サーバ４０Ｃの処理装置４１Ｃの表示要求受信部４２Ｃは、表示端末１０，２０から表示要求を受ける。当該表示要求には、画像インデックスが含まれており、端末タイプは含まれていない。表示要求受信部４２Ｃは、当該表示要求として画像インデックスを取得する（図１２、ステップＳ１２）。
【００５８】
加えて、本実施形態の処理装置４１Ｃは、表示端末１０，２０と通信して表示端末に関する情報を取得して端末タイプを特定する機能（以下、端末タイプ特定部と記す）７０を有している。表示要求受信部４２Ｃが表示要求を受けると、端末タイプ特定部７０は、表示要求の送信元の表示端末１０，２０と通信して、画面解像度を含む当該表示端末１０，２０に関する情報を取得する。具体的には、端末タイプ特定部７０は、表示端末１０，２０に対して端末タイプを問い合わせる信号等を発信し、その返信として端末タイプに関する情報を取得する。端末タイプには、ＰＣであるかタブレットであるかの情報の他、表示端末１０，２０の画面解像度、すなわち表示画面１１，２１の幅方向の画素数と高さ方向の画素数が含まれている。端末タイプ特定部７０は、表示端末１０，２０から取得した情報に基づいて当該表示端末１０，２０の画面解像度を特定する（図１２、ステップＳ１４）。
【００５９】
本実施形態の処理装置４１Ｃの画像レイアウトデータ特定部４３Ｃは、画像インデックスを検索キーとして記憶装置４６Ｃの画像レイアウトデータ記憶部４７Ｃを検索して、画像インデックスと所定の基準解像度に対応する画像レイアウトデータ（図１１参照）を特定する（図１２、ステップＳ１６）。
【００６０】
本実施形態において、基準解像度は、図１１に示すように、画像インデックスが、メニュー、データ一覧、トレンドグラフである場合、ＳＸＧＡ（幅：１２８０画素、高さ：１０２４画素）に設定されている。画像インデックスが系統図である場合において、端末タイプがタブレットである場合には、基準解像度は、ＸＧＡに設定されている。
【００６１】
画像レイアウトデータ記憶部４７Ｃには、画像インデックス及び基準解像度に対応する画像レイアウトデータが予め記憶されている。当該画像レイアウトデータには、基準解像度及び画像インデックスに対応する配置座標、表示サイズ及び部品別情報が含まれている。配置座標及び表示サイズは、基準解像度に合わせた値に予め設定されている。
【００６２】
処理装置４１Ｃは、端末タイプに含まれる画面解像度の基準解像度に対する比率（以下、解像度比率と記す）を算出する機能（以下、解像度比率算出部と記す）７２を有している。解像度比率算出部７２は、端末タイプ特定部７０により特定された画面解像度の基準解像度に対する解像度比率を算出する（図１２、ステップＳ１８）。
【００６３】
解像度比率には、幅方向（図２の矢印Ｘ参照）の画素数の比率（以下、Ｘ軸比率と記す）と、高さ方向（図２の矢印Ｙ参照）の画素数の比率（以下、Ｙ軸比率と記す）が含まれている。例えば、表示端末（タブレット）２０の画面解像度が、ＸＧＡ（幅：１０２４画素、高さ：７６８画素）である場合、基準解像度（ＳＸＧＡ）に対するＸ軸比率は、０．８（＝１０２４／１２８０）となり、Ｙ軸比率は、０．７５（＝７６８／１０２４）となる。
【００６４】
処理装置４１Ｃは、基準解像度及び画像インデックスに対応する画像レイアウトデータと、解像度比率算出部７２により算出された解像度比率に基づいて、当該解像度比率に対応する画像レイアウトデータを算出する機能（以下、画像レイアウトデータ算出部と記す）７４を有している。具体的には、画像レイアウトデータ算出部７４は、画像レイアウトデータ記憶部４７Ｃに予め記憶されている基準解像度に対応する画像レイアウトデータと、解像度比率算出部７２により算出された解像度比率（Ｘ軸比率及びＹ軸比率）に基づいて、表示端末２０の画面解像度に対応する配置座標と表示サイズを算出する（図１２、ステップＳ２０）。
【００６５】
例えば、画像レイアウトデータ算出部７４は、基準解像度に対応する配置座標である座標Ｘ及び座標Ｙ（図８参照）に、それぞれＸ軸比率及びＹ軸比率を乗じて、表示端末２０の画面解像度に対応する配置座標（座標Ｘ及び座標Ｙ）とする。また、画像レイアウトデータ算出部７４は、基準解像度に対応する表示サイズである幅及び高さ（図８参照）に、それぞれＸ軸比率及びＹ軸比率を乗じて、表示端末２０の画面解像度に対応する表示サイズ（幅及び高さ）とする。
【００６６】
また、本実施形態においては、処理装置４１Ｃは、画像レイアウトデータ算出部７４により算出された表示端末２０の画面解像度に対応する配置座標及び表示サイズを、当該画面解像度と共に、新たな画像レイアウトデータとして、記憶装置４６Ｃの画像レイアウトデータ記憶部４７Ｃに記録する機能（以下、画像レイアウトデータ記録部と記す）７６を有している。すなわち、画像レイアウトデータ記録部７６は、基準解像度に対応する画像レイアウトデータに加えて、新たに端末タイプ特定部７０により特定された画面解像度を含む端末タイプと、当該端末タイプに対応する配置座標及び表示サイズ、すなわち画像レイアウトデータ算出部７４により算出された配置座標及び表示サイズとを、対応付けて画像レイアウトデータ記憶部４７Ｃに格納する。
【００６７】
そして、ステップＳ２２で示すように、部分表示ソフトウェア特定部４４は、画像レイアウトデータが示す画像構成部分の種類に対応する部分表示ソフトウェアを特定し、記憶装置４６Ｃの部分表示ソフトウェア記憶部４８から取り出す。さらに、ステップＳ２４で示すように、表示用データ返信部４５は、取り出された部分表示ソフトウェアと共に、画像レイアウトデータ算出部７４において配置座標と表示サイズが算出された画像レイアウトデータを、表示用データとして表示端末１０，２０に返信する。
【００６８】
本実施形態においても、表示端末１０，２０は、画面解像度及び画像インデックスに対応した画像レイアウトデータと、部分表示ソフトウェアとを受け取ることができる。当該画像レイアウトデータが示す配置座標と表示サイズに従って、画面構成部分を、表示画面１１，２１の所定の表示窓に配置して表示画像を構成することができる。表示端末１０，２０は、その画面解像度に応じた、最適な視認性を確保した表示画像を構成して表示画面１１，２１に表示させることができる。本実施形態によれば、表示端末１０，２０は、画像インデックスを含む表示要求を表示用サーバ４０に送信するだけで、様々な画面解像度に適した表示画像を表示画面１１，２１に表示させることができる。
【００６９】
〔第３の実施形態〕
第３の実施形態のプラント監視システムの構成について、図１３〜図１５を用いて説明する。図１３は、本実施形態のプラント監視システムの構成を説明するブロック図である。図１４は、本実施形態において記憶装置に予め記憶されている、画像構成部分ごとに設定可能な部分別情報を説明する図である。図１５は、本実施形態の保守端末の編集画面に表示される編集画像の一例を示す図である。
【００７０】
本実施形態において、処理装置は、記憶装置の画像レイアウトデータ記憶部に記憶されている画像レイアウトデータを編集する機能を有している点で、第２の実施形態と異なっている。なお、第２の実施形態と略共通の構成については、同一の符号を付して説明を省略する。
【００７１】
図１３に示すように、本実施形態のプラント監視システム１Ｅは、表示用サーバ４０Ｅを保守するための端末（以下、保守端末と記す）３０を有している。本実施形態において、保守端末３０は、パーソナル・コンピュータとして構成されている。保守端末３０は、各種の情報を示す表示画像を表示する表示画面３１を有している。また、保守端末３０は、操作者の操作入力を受け付ける入力装置３３を有している。入力装置３３には、例えば、キーボードやマウスを用いることができる。
【００７２】
一方、表示用サーバ４０Ｅの処理装置４１Ｅは、記憶装置４６Ｅの画像レイアウトデータ記憶部４７Ｃに予め記憶されている画像レイアウトデータを編集する機能（以下、画像レイアウトデータ編集部と記す）８０を有している。なお、記憶装置４６Ｅには、画像構成部分ごとに設定可能な部品別情報（図１４参照）が、部分別情報記憶部８２に予め記憶されている。
【００７３】
本実施形態においては、画像レイアウトデータを編集する際、画像レイアウトデータ編集部８０は、保守端末３０の表示画面３１に、画像レイアウトデータを編集するための表示画像（以下、編集画像と記す）９０を、図１５に示すように、所定の表示窓に表示させる。当該編集画像９０には、画像インデックスの種類（名称）を入力するエリア９１、端末タイプを入力するエリア９２、部分別情報記憶部８２に記憶されている画像構成部分の種類（名称）の一覧を表示するエリア９３、画像レイアウトデータの現在の設定状態を表示するエリア９４、画像構成部分に対応する画像レイアウトデータを表示するエリア９５が設けられている。本実施形態において、画像レイアウトデータを表示するエリア９５には、配置座標を表示するエリア９５ａ、表示サイズを表示するエリア９５ｃ、及び表示部分別情報を表示するエリア９５ｅを有している。
【００７４】
また、編集画像９０は、記憶装置４６Ｅの画像レイアウトデータ記憶部４７Ｃに記憶されている画像レイアウトデータを保守端末３０に読み込む機能を実行するボタン（以下、ロードボタンと記す）９６と、保守端末３０において編集された画像レイアウトデータを画像レイアウトデータ記憶部４７Ｃに記録する機能を実行するボタン（以下、セーブボタンと記す）９８を有している。
【００７５】
以上のように構成された編集画像を用いての画像レイアウトデータを編集する手順について、図１３〜図１６を用いて説明する。図１６は、本実施形態のプラント監視システムにおいて、編集画像が表示画面に表示された保守端末の操作手順を説明するフローチャートである。
【００７６】
まず、ステップＳ３２に示すように、操作者は、編集画像９０のエリア９１に画像インデックスの名称を入力する。また、ステップＳ３４に示すように、エリア９２に端末タイプの名称を入力する。
【００７７】
そして、操作者は、ロードボタン９６をクリックすることにより、入力された画像インデックス及び端末タイプに対応する画像レイアウトデータを、表示用サーバ４０から保守端末３０に読み込む（図１６、ステップＳ３６）。保守端末３０からは、これら操作者による操作入力に対応する画像インデックス及び端末タイプが、表示用サーバ４０Ｅに送信される。
【００７８】
処理装置４１Ｅの画像レイアウトデータ編集部８０は、保守端末３０からの操作入力を受けて、当該操作入力に含まれる画像インデックス及び端末タイプを検索キーとして、記憶装置４６Ｅの画像レイアウトデータ記憶部４７Ｃを検索し、対応する画像レイアウトデータを取り出して、保守端末３０に送信する。
【００７９】
これにより、保守端末３０は、表示用サーバ４０Ｅから画像レイアウトデータを受ける。画像レイアウトデータには、画像構成部分の種類（名称）と、当該画像構成部分に対応する配置座標、表示サイズ及び部分別情報が含まれている。保守端末３０は、図１５に示すように、編集画像９０のエリア９３に画像構成部分の種類（名称）の一覧を表示すると共に、当該画像レイアウトデータに含まれる画像構成部分の配置座標と表示サイズに従って、エリア９４に各画像構成部分を表示する。
【００８０】
そして、ステップＳ３８で示すように、編集画像９０において、操作者がエリア９３にある画像構成部分を選択してエリア９４にコピーすると、入力した画像インデックス及び端末タイプに対応する画像レイアウトデータに、新たな画像構成部分が追加される（図１６、ステップＳ３８）。
【００８１】
また、編集画像９０において、エリア９３にある画像構成部分を選択すると、当該画像構成部分に対応する画像レイアウトデータの現在の値が、エリア９５に表示される。保守端末３０の操作者は、当該エリア９５に表示されている画像レイアウトデータを、設定可能な範囲内で書き換えることが可能となっている。
【００８２】
なお、画像構成部分ごとに設定可能な部品別情報は、記憶装置４６Ｅの部分別情報記憶部８２から提供されている。例えば、部分別情報を示すエリア９５ｅを、操作者が入力装置３３を操作して書き換えることにより、部分別情報を変更することが可能となる（図１６、ステップＳ４０）。
【００８３】
以上の操作入力が行われた編集画像９０において、操作者がセーブボタン９８をクリックすると、当該編集された画像レイアウトデータは、保守端末３０から表示用サーバ４０Ｅに送信される。図１３に示す画像レイアウトデータ編集部８０は、保守端末３０から画像レイアウトデータを受けて、記憶装置４６Ｅの画像レイアウトデータ記憶部４７Ｃに記録する（図１６、ステップＳ４２）。
【００８４】
以上のように構成されたプラント監視システム１Ｅは、操作者が保守端末３０の入力装置３３を操作することにより、記憶装置４６Ｅの画像レイアウトデータ記憶部４７Ｃに記憶されている画像レイアウトデータを更新することができる。プラント監視システム１Ｅの運転中であっても、画像レイアウトデータを変更したり、新たな端末タイプに対応した新たな画像レイアウトデータを、表示用サーバ４０Ｅの記憶装置４６Ｅに追加することができる。
【００８５】
〔他の実施形態〕
上述した各実施形態においては、表示端末１０，２０と表示用サーバ４０は、表示用通信線３を介して接続されているものとしたが、表示端末１０，２０と表示用サーバ４０との間におけるデータ通信の態様は、これに限定されるものではない。表示端末１０，２０と表示用サーバ４０は、無線を介してデータ通信を行うものとしても良い。
【００８６】
上述した実施形態において、表示用サーバ４０は、画像レイアウトデータと共に部分表示ソフトウェアを、表示用データとして表示端末１０，２０に送信するものとしたが、本発明は、この態様に限定されるものではない。表示用サーバ４０内において、画像レイアウトデータと部分表示ソフトウェアにより、画面構成部分を示す画像データを生成し、生成された画像データを、表示用データとして表示端末１０，２０に送信するものとしても良い。この場合、表示端末１０，２０は、表示用サーバ４０からの画像データと、データサーバ６０から取得したプロセスデータに基づいて表示画像を構成することができる。
【００８７】
本発明のいくつかの実施形態について説明したが、これらの実施形態は、例として提示したものであり、発明の範囲を限定することは意図していない。これら新規な実施形態はその他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８８】
１，１Ｃ，１Ｅ  プラント監視システム
３  表示用通信線
５  通信線
７  プロセスデータ用通信線
８  プラント機器
１０  表示端末
１１  表示画面
１２  表示窓
１３  キーボード（入力装置）
１５  マウス（入力装置）
２０  表示端末
２１  表示画面
２２  表示窓
２３  タッチパネル（入力装置）
３０  保守端末
３１  表示画面
３３  入力装置
４０，４０Ｃ，４０Ｅ  表示用サーバ
４１，４１Ｃ，４１Ｅ  処理装置
４２，４２Ｃ  表示要求受信部
４３，４３Ｃ  画像レイアウトデータ特定部
４４  部分表示ソフトウェア特定部
４５  表示用データ返信部
４６，４６Ｃ，４６Ｅ  記憶装置
４７，４７Ｃ  画像レイアウトデータ記憶部
４８  部分表示ソフトウェア記憶部
５０  ヘッダ表示部分（画像構成部分）
５２  メニュー表示部分（画像構成部分）
５２ａ，５２ｂ，５２ｃ  ボタン
５３  データ一覧表示部分（画像構成部分）
５４  系統図表示部分（画像構成部分）
５５  トレンドグラフ表示部分（画像構成部分）
６０  データサーバ
６１  処理装置
６６  記憶装置
７０  端末タイプ特定部
７２  解像度比率算出部
７４  画像レイアウトデータ算出部
７６  画像レイアウトデータ記録部
８０  画像レイアウトデータ編集部
８２  部分別情報記憶部
９０  編集画像
９１，９２，９３，９４，９５，９５ａ，９５ｃ，９５ｅ  エリア
９６  ロードボタン
９８  セーブボタン
【図１】
2016076070.tif 000003
【図２】
2016076070.tif 000004
【図３】
2016076070.tif 000005
【図４】
2016076070.tif 000006
【図５】
2016076070.tif 000007
【図６】
2016076070.tif 000008
【図７】
2016076070.tif 000009
【図８】
2016076070.tif 000010
【図９】
2016076070.tif 000011
【図１０】
2016076070.tif 000012
【図１１】
2016076070.tif 000013
【図１２】
2016076070.tif 000014
【図１３】
2016076070.tif 000015
【図１４】
2016076070.tif 000016
【図１５】
2016076070.tif 000017
【図１６】
2016076070.tif 000018